(57)【特許請求の範囲】
【請求項１】
一対の対称的なレセプタクルコンタクト及び前記各レセプタクルコンタクトを保持するインシュレータを有するレセプタクルコネクタと、一対の対称的なプラグコンタクト及び前記各プラグコンタクトを保持するインシュレータを有するプラグコネクタとから構成され、
前記各レセプタクルコンタクトは、略コ字状のばね部と、前記ばね部に連続する略Ｕ字状の接触部と、基板に接続する端子部と、前記端子部及び前記ばね部にそれぞれ連続し、かつ、前記レセプタクルコネクタのインシュレータに保持される保持部とを有し、前記ばね部の一部が前記レセプタクルコネクタのインシュレータの側壁に当接し、前記ばね部と前記保持部とにより前記側壁を挟持し、
前記レセプタクルコネクタのインシュレータは、コネクタの嵌合時に前記接触部の先端の移動を許容する溝と、前記コネクタの離脱時に前記接触部の先端が前記プラグコネクタ側へ移動することを抑制する移動抑制部とを有し、前記移動抑制部は前記プラグコネクタとの嵌合側に形成され、前記接触部の先端は前記移動抑制部に対向し、前記溝は前記移動抑制部と前記基板の間に位置し、
前記各レセプタクルコンタクトは、前記プラグコネクタとの嵌合側から組み込まれて前記レセプタクルコネクタのインシュレータに保持されることを特徴とするコネクタ。
【請求項２】
前記レセプタクルコネクタは基板に搭載され、前記ばね部が所定以上変形することを防止する変形抑制部は前記基板に搭載される側に形成されることを特徴とする請求項１記載のコネクタ。
【発明の詳細な説明】
【０００１】
【発明の属する技術分野】
本発明は、プリント回路基板とプリント回路基板との接続、又は、プリント回路基板とＦＰＣとの接続等に使用されるコネクタに関する。
【０００２】
【従来の技術】
特開平−２５９９７９号公報に記載された従来のプリント回路基板とプリント回路基板とを接続するコネクタについて図１２を参照して説明する。
【０００３】
コネクタアセンブリ７３は、プリント回路基板７１に実装されるレセプタクルコネクタ７４と、プリント回路基板７２に実装されるプラグコネクタ７５とから構成される。
【０００４】
図１２は、コネクタ７４とコネクタ７５とが嵌合した状態の断面図を示す。コネクタ７４側のターミナル７７の半田テール７７Ａがプリント回路基板７１に、コネクタ７５側のターミナル７９の半田テール７９Ａがプリント回路基板７２に、それぞれ表面半田付けされている。ターミナル７７の装着片７７Ｂに形成された突起７７Ｃは、コネクタ７４の絶縁ハウジング７６に形成された装着穴７６Ａに係合する。絶縁ハウジング７６に形成された嵌合部７８と、コネクタ７５の絶縁ハウジング８８の枠部９１とが、嵌合し、コネクタ７４側のターミナル７７のコンタクト片７７Ｄに形成されたコンタクト部７７Ｅと、コネクタ７５側のターミナル７９のコンタクト片７９Ｂとが、接触して、コネクタ７４とコネクタ７５とが電気的に導通し、両プリント回路基板７１，７２は接続する。このとき、コネクタ７４側のターミナル７７に設けられたロック片７７Ｆのロック爪７７Ｇは、コネクタ７５側の絶縁ハウジング８８の枠部９１の外壁に形成されたロック凹部９１Ａに受け入れられる。この結果、ロック爪７７Ｇとロック凹部９１Ａとが係合するので、コネクタ７４とコネクタ７５との嵌合状態は保持される。
【０００５】
この嵌合状態の保持力の強さは、各ロック爪７７Ｇと各ロック凹部９１Ａとが係合する箇所の数に比例する。したがって、互いに接触するターミナル７７，７９の極数に応じて、各ロック爪７７Ｇと各ロック凹部９１Ａとが係合する箇所の数及び分布を設定し、最適の保持力が得られるように図る。
【０００６】
【発明が解決しようとする課題】
前記従来のコネクタでは、コネクタ７４側のターミナル７７には、装着片７７Ｂとロック片７７Ｆとコンタクト片７７Ｄとが、設けられているため、コネクタの横幅寸法が大きくならざるを得ない。また、ターミナル７７の各片７７Ｂ，７７Ｆ，７７Ｄは、嵌合方向に延びるので、コネクタを低背（ロープロファイル）にすることが困難である。更に、ロック爪７７Ｇとロック凹部９１Ａとの係合は、ハウジングとのフリクションロックであるため、多数回の係合離脱によって摩耗し易い。
【０００７】
そこで、本発明は、前記従来のコネクタの欠点を改良し、接続とロックが確実で、低背のコネクタを提供しようとするものである。
【０００８】
【課題を解決するための手段】
本発明は、前記課題を解決するため、次の手段を採用する。
【０００９】
１．一対の対称的なレセプタクルコンタクト及び前記各レセプタクルコンタクトを保持するインシュレータを有するレセプタクルコネクタと、一対の対称的なプラグコンタクト及び前記各プラグコンタクトを保持するインシュレータを有するプラグコネクタとから構成され、前記各レセプタクルコンタクトは、略コ字状のばね部と、前記ばね部に連続する略Ｕ字状の接触部と、基板に接続する端子部と、前記端子部及び前記ばね部にそれぞれ連続し、かつ、前記レセプタクルコネクタのインシュレータに保持される保持部とを有し、前記ばね部の一部が前記レセプタクルコネクタのインシュレータの側壁に当接し、前記ばね部と前記保持部とにより前記側壁を挟持し、前記レセプタクルコネクタのインシュレータは、コネクタの嵌合時に前記接触部の先端の移動を許容する溝と、前記コネクタの離脱時に前記接触部の先端が前記プラグコネクタ側へ移動することを抑制する移動抑制部とを有し、前記移動抑制部は前記プラグコネクタとの嵌合側に形成され、前記接触部の先端は前記移動抑制部に対向し、前記溝は前記移動抑制部と前記基板の間に位置し、前記各レセプタクルコンタクトは、前記プラグコネクタとの嵌合側から組み込まれて前記レセプタクルコネクタのインシュレータに保持されるコネクタ。
【００１０】
２．前記レセプタクルコネクタは基板に搭載され、前記ばね部が所定以上変形することを防止する変形抑制部は前記基板に搭載される側に形成される前記１記載のコネクタ。
【００１３】
【発明の実施の形態】
本発明の一実施の形態例のコネクタについて図１〜図１１を参照して説明する。
【００１４】
図１はレセプタクルコネクタ１の下面図、図２はレセプタクルコネクタ１の正面図、図３はレセプタクルコネクタ１の側面図、図４はレセプタクルコネクタ１の上面図、図５はレセプタクルコネクタ１がプリント回路基板３０に搭載された状態の断面図、図６はプラグコネクタ４１の下面図、図７はプラグコネクタ４１の正面図、図８はプラグコネクタ４１の側面図、図９はプラグコネクタ４１の上面図、図１０はプラグコネクタ４１がプリント回路基板６８に搭載された状態の断面図、図１１はレセプタクルコネクタ１とプラグコネクタ４１とが嵌合した状態の断面図である。
【００１５】
まず、レセプタクルコネクタ１について図１〜図５を参照して説明する。
【００１６】
図５において、多数の各一対のコンタクト１０が、一定のピッチでインシュレータ２０に左右対称に装着されている。各コンタクト１０は、銅合金製で金メッキが施され、インシュレータ２０は、耐熱性プラスチック製である。コンタクト１０は、プリント回路基板３０の接点３１に接続する端子部１１と、端子部１１に対して直交する方向に折曲され、かつ、インシュレータ２０の側壁２１に保持される略Ｕ字状の保持部１２と、保持部１２に連続する略コ字状のばね部１３と、ばね部１３に連続し、かつ、プラグコネクタ４１のコンタクトに接触する略Ｕ字状の接触部１４とから構成される。保持部１２とばね部１３の一部とは、側壁２１を弾力的に挟持する。また、レセプタクルコネクタ１とプラグコネクタ４１との嵌合時に、ばね部１３の一部が側壁２１に当接するように設計変更することができる。
【００１７】
インシュレータ２０には、コンタクト１０のばね部１３の弾性変形を抑制するため、変形抑制部２２が側壁２１に直交して内側へ向かって形成されている。インシュレータ２０の中央には、支柱２３が形成され、支柱２３の上方の両側には、コンタクト１０の接触部１４の先端１５の移動を抑制するため、傾斜した移動抑制部２４が対称に形成されている。支柱２３の上面の天井部２５は、レセプタクルコネクタ１をプリント回路基板３０に自動実装するときの吸着面となる。支柱２３の周辺には、溝２６が形成されている。
【００１８】
次に、プラグコネクタ４１について図６〜図１０を参照して説明する。
【００１９】
図１０において、多数の各一対のコンタクト５０が、一定のピッチでインシュレータ６０に左右対称に装着されている。各コンタクト５０は、銅合金製で金メッキが施され、インシュレータ６０は、耐熱性プラスチック製である。コンタクト５０は、プリント回路基板６８の接点６９に接続する端子部５１と、端子部５１に続き、かつ、インシュレータ６０の側壁６１に保持される略コ字状の保持部５２とから構成される。保持部５２は、その凸部５７が側壁６１の凹部６２に係合し、側壁６１に圧入固定される。保持部５２は、コンタクト１０に挿入し易くするための突出円弧状の挿入口部５３と、挿入口部５３に続き、かつ、インシュレータ６０の外側へ向かって漸次広がる傾斜部５４と、傾斜部５４に続き、かつ、嵌合方向に平行な平行部５５とから形成される摺動接触部５６を有する。インシュレータ６０の中央の内面の天井部６３は、プラグコネクタ４１をプリント回路基板６８に自動実装するときの吸着面となる。
【００２０】
プラグコネクタ４１とレセプタクルコネクタ１との嵌合について図５，１０，１１を参照して説明する。
【００２１】
プラグコネクタ４１をレセプタクルコネクタ１に垂直に接近させると、一対の挿入口部５３は、一対の接触部１４をインシュレータ２０の内側へ向かって押圧し、各ばね部１３をたわませて、図１１の嵌合状態に至る。この状態では、コネクタの接続とロックが確実である。
【００２２】
プラグコネクタ４１とレセプタクルコネクタ１との嵌合離脱の過程では、インシュレータ２０の変形抑制部２２は、ばね部１３の弾性変形の限度を規制するので、コンタクトの塑性変形を防止すると共に、コンタクト１０とプリント回路基板３０のパターンとの短絡も防止できる。また、インシュレータ２０の移動抑制部２４は、コンタクト１０のめくれを防止する。更に、インシュレータ２０の溝２６は、コンタクト１０のばね部１３と接触部１４の移動に必要なスペースを形成する。
【００２３】
【発明の効果】
以上の説明から明らかなように、本発明によれば、次の効果を奏することができる。
【００２４】
１．接続とロックが確実で、低背のコネクタが得られる。
【００２５】
２．コンタクトの過度の変形に起因するコンタクトの塑性変形と、コンタクトとプリント回路基板との短絡が起きない。
【００２６】
３．コネクタの離脱時に、コンタクトのめくれが起きない。
【００２７】
４．コンタクトの保持部とばね部がインシュレータの側壁を弾力的に挟持するため、コネクタの接続特性が安定する。
【図面の簡単な説明】
【図１】本発明の一実施の形態例のコネクタにおけるレセプタクルコネクタの下面図である。
【図２】同レセプタクルコネクタの正面図である。
【図３】同レセプタクルコネクタの側面図である。
【図４】同レセプタクルコネクタの上面図である。
【図５】同レセプタクルコネクタがプリント回路基板に搭載された状態の断面図である。
【図６】本発明の一実施の形態例のコネクタにおけるプラグコネクタの下面図である。
【図７】同プラグコネクタの正面図である。
【図８】同プラグコネクタがプリント回路基板に搭載された状態の側面図である。
【図９】同プラグコネクタの上面図である。
【図１０】同プラグコネクタがプリント回路基板に搭載された状態の断面図である。
【図１１】本発明の一実施の形態例のコネクタが嵌合した状態の断面図である。
【図１２】従来のコネクタの嵌合状態の断面図である。
【符号の説明】
１    レセプタクルコネクタ
１０    コンタクト（レセプタクルコンタクト）
１１    端子部
１２    保持部
１３    ばね部
１４    接触部
１５    先端
２０    インシュレータ
２１    側壁
２２    変形抑制部
２３    支柱
２４    移動抑制部
２５    天井部
２６    溝
３０    プリント回路基板
３１    接点
４１    プラグコネクタ
５０    コンタクト（プラグコンタクト）
５１    端子部
５２    保持部
５３    挿入口部
５４    傾斜部
５５    平行部
５６    摺動接触部
５７    凸部
６０    インシュレータ
６１    側壁
６２    凹部
６３    天井部
６８    プリント回路基板
６９    接点
【図１】
0003579825.tif 000002
【図２】
0003579825.tif 000003
【図３】
0003579825.tif 000004
【図４】
0003579825.tif 000005
【図５】
0003579825.tif 000006
【図６】
0003579825.tif 000007
【図７】
0003579825.tif 000008
【図８】
0003579825.tif 000009
【図９】
0003579825.tif 000010
【図１０】
0003579825.tif 000011
【図１１】
0003579825.tif 000012
【図１２】
0003579825.tif 000013